(57)【要約】【課題】パウダー収納室付き容器において、その収納室上面を開閉する蓋体ないし中蓋等開放の際に、その収納室内が負圧化等することで収納されているパウダーが舞上がって飛散することを防止できるようにした。【解決手段】上記パウダー収納室７の第１周壁４内面へ雌ねじ３を設け、その収納室内への落し蓋21外周の雄ねじ24を雌ねじ３へ螺合させ、又その落し蓋21にパウダー流出用の多数の小透孔25を穿設した。【選択図】図１
2005066189.tif 000002
【特許請求の範囲】
【請求項１】
内面に雌ねじ３を有する第１周壁４を底板２外周から起立するパウダー収納室７内へ、上記雌ねじに外周面雄ねじ24を螺合させ、かつパウダー上面へ載置させて落し蓋21を設け、該落し蓋にパウダー流出用小透孔25を多数穿設した
ことを特徴とするパウダー収納室付き容器。
【請求項２】
上記落し蓋21を、小透孔25および雄ねじ24付きの下板21ａと、該下板上へ重ねて載置させた上板21ｂとで、これ等両板中心を回動自在に枢着させて形成し、上板21ｂに穿設した窓孔27と下板が有する小透孔25とが、下板21ａに対する上板特定の回動位置では連通し、又非特定回動位置では不通とした
ことを特徴とする請求項１記載のパウダー収納室付き容器。
【請求項３】
上記落し蓋21の上面外周部から指掛け板26を起立させた
ことを特徴とする請求項１記載のパウダー収納室付き容器。
【請求項４】
上記雄ねじ24を、落し蓋21外周から起立する第２周壁23外面へ付設した
ことを特徴とする請求項１又は３記載のパウダー収納室付き容器。
【請求項５】
上記底板２と第１周壁４とで容器体１を形成し、該容器体上面を開閉自在に閉塞する蓋体31を設けて、該蓋体頂壁32と上記第１周壁４内へ嵌合させた落し蓋21との間隙内へ、パフ41を収納させた
ことを特徴とする請求項１、２、３又は４記載のパウダー収納室付き容器。
【発明の詳細な説明】
【技術分野】
【０００１】
本発明はパウダー収納室付き容器に関する。
【背景技術】
【０００２】
パウダーを収納した容器体上面をパフ載置の中蓋で閉塞して、容器体上部へ蓋体を嵌合させ、又上記パウダー上面へ網皿を載置させたパウダー容器が知られている（特許文献１）。
【０００３】
又容器体後部へ蓋体を枢着させて該蓋体で容器体上面を開閉自在に閉塞し、容器体内左右の一半を、パウダー収納室に、かつ他半をパフ収納室とするコンパクト容器も知られている（特許文献２）。
【特許文献１】特開平１１−２０６４４２号公報
【特許文献２】特開平１１−３３２６４１号公報
【発明の開示】
【発明が解決しようとする課題】
【０００４】
上記のような従来容器にあっては、中蓋や蓋体を開くとき、パウダー収納室内が負圧化することで網皿があるに拘らずパウダーが舞い上がり、飛散したパウダーが周辺を汚すことがあった。
【０００５】
本発明はこのような欠点の除去を目的とする。
【課題を解決するための手段】
【０００６】
第１の手段として、内面に雌ねじ３を有する第１周壁４を底板２外周から起立するパウダー収納室７内へ、上記雌ねじに外周面雄ねじ24を螺合させ、かつパウダー上面へ載置させて落し蓋21を設け、該落し蓋にパウダー流出用小透孔25を多数穿設した。
【０００７】
第２の手段として、上記第１の手段を有すると共に上記落し蓋21を、小透孔25および雄ねじ24付きの下板21ａと、該下板上へ重ねて載置させた上板21ｂとで、これ等両板中心を回動自在に枢着させて形成し、上板21ｂに穿設した窓孔27と下板が有する小透孔25とが、下板21ａに対する上板特定の回動位置では連通し、又非特定回動位置では不通とした。
【０００８】
第３の手段として、上記第１の手段を有すると共に上記落し蓋21の上面外周部から指掛け板26を起立させた。
【０００９】
第４の手段として、上記第１又は第２の手段を有すると共に上記雄ねじ24を、落し蓋21外周から起立する第２周壁23外面へ付設した。
【００１０】
第５の手段として、上記第１、第２、第３又は第４の手段を有すると共に上記底板２と第１周壁４とで容器体１を形成し、該容器体上面を開閉自在に閉塞する蓋体31を設けて、該蓋体頂板32と上記第１周壁４内へ嵌合させた落し蓋21との間隙内へ、パフ41を収納させた。
【発明の効果】
【００１１】
請求項１のように落し蓋21を第１周壁４内面へ螺合させることで従来の網皿のように衝激等でパウダー内へ半ば沈むことがなく、パウダー流出用孔は小透孔であるから落し蓋上へパウダーが流出することもない。又パフ使用のために落し蓋上へ流出させたパウダーの使い残しがそのまま落し蓋上に残ることはあるが、このようなパウダーは極く少量であり、その一部が舞い上がっても支障はない。
【００１２】
請求項２のようにすれば、上板21ｂ回動で小透孔25を閉塞でき、よってパウダーの舞上がりを確実に防止できる。
【００１３】
請求項３のようにすることで、落し蓋の螺動が容易である。
【００１４】
請求項４のようにすれば、押え板22の板厚を薄く、しかも雌雄ねじの螺合部分を長くしてその螺合を確実とできる。
【００１５】
請求項５のようにすることで、パウダー舞上がり防止機構付きの簡易なパウダー容器とすることが出来る。
【発明を実施するための最良の形態】
【００１６】
以下図１から図４が示す第１実施形態について説明すると、１は容器体で、底板２周縁から内面に雌ねじ３を有する第１周壁４を起立し、又その第１周壁の上下方向中間やや上方部分からは外向きフランジ５を介して脚筒６を第１周壁よりも下方まで垂下させており、その第１周壁内をパウダー収納室７としている。
【００１７】
上記外向きフランジ５よりも上方の第１周壁部分は後述蓋体嵌合用の口頸部８を形成し、図２が示すようにその前後両部外面へ係合部９を、かつ左右両部外面へ突子10を、それぞれ付設している。係合部９は図３が示すように起立板9a上端から後述蓋体の螺脱方向へガイド板9bを上方傾斜させて突出し、かつ上記起立板9aとの間へ小間隙をおいてガイド板下面から低突条9cを縦設している。
【００１８】
上記第１周壁内へはパウダー上面へ載置させて落し蓋21を螺合させる。落し蓋21は押え板22外周から第２周壁23を起立し、その第２周壁外面へ、上記雌ねじへ螺合する雄ねじ24を付設している。又押え板22へは図４が示すように複数の小透孔25を穿設している。これ等小透孔はパウダー流出用のもので、適宜配設する。尚上記小透孔25は、製品輸送時にその小透孔を通ってパウダーが押え板22上へと流出することを防止するため、シール材等で閉塞し、消費者が容器使用時に剥離して小透孔25を開孔するよう設けるとよい。図示例にあっては図１、図４が示すように押え板22の外周上面から第２周壁23内面へ縦設させて落し蓋21回動用の指掛け板26を複数付設している。該指掛け板は必ずしも必要ではなく、又押え板22をやや肉厚とすることで、その押え板外周面へ雄ねじを付設することが出来、このようにすれば第１周壁23も省くことが出来る。
【００１９】
31は蓋体で、頂板32外周から蓋周壁33を垂下し、該蓋周壁下部を容器体口頸部８の外面へ嵌合させている。該嵌合状態で突子10は蓋周壁内面へ接する。又蓋周壁33の下部内面へは既述係合部９内面へ係止させる突部34を有し、該突部は蓋周壁33を口頸部８外面へ嵌合させ、かつ蓋体締め方向へ回動させたとき、既述低突条9cを強制乗越えした後、起立板9aに接し停止して蓋体を閉塞状態に保持し、かつ蓋体取外し時には、蓋体螺脱方向への回動で上記突部34が低突条9cを強制乗越えしてガイド板9b外方へ移動するから、ついで蓋体を抜き出せばよい。
【００２０】
既述落し蓋21上面へ載置させて蓋体頂板32との間にはパフ41を設けている。
【００２１】
上記構成において、パウダー使用の際は、蓋体31を外し、パフ41を手にとって容器体を振動させることで、小透孔25を通って押え板22上へ適量のパウダーを取出し、該パウダーをパフに付着させて使用する。パウダーが減少して落し蓋との間に隙間が出来たときは押え板22下面がパウダー上面へ接するまで螺降させればよい。
【００２２】
図５と図６とは第２実施形態を示す。尚既述第１実施形態と同一部分については同一符号を付することで説明を省略する。該第２実施形態は落し蓋を、小透孔25、雄ねじ24付きの第２周壁23更に指掛け板26付きの下板21ａと、該下板21ａ上へ重ねて載置させた上板21ｂとで、それ等両板中心を、上板の回動が自在に枢着させて形成したものであり、その上板には図５、図６のように上記小透孔を開閉させる窓孔27を穿設している。該小透孔の開閉は、下板21ａ上へ載置させた上板を、前後ないし左右方向へ往復摺動させることで行うことも考えられ、その機構は公知の種々手段で行えばよい。
【００２３】
既述指掛け板26を該第２実施形態の落し蓋21に設ける場合は、下板21ａ外周部から起立させた第２周壁23内面へ指掛け板26を付設し、該指掛け板よりも内方の下板部分上面へ上板21ｂを載置し、上板回動の際に指掛け板26が邪魔とならないよう設ける。
【００２４】
既述実施形態にあっては、容器体１と、落し蓋21と、蓋体31とからなるパウダー容器について説明したが、既述特許文献２の場合のように、パウダー収納室７をコンパクト容器の容器体一半に形成し、他半にパフ収納室を形成してもよく、この場合は当然蓋体の形状も変更することとなる。
【００２５】
本発明はこのように、コンパクト容器の一部をパウダー収納室とした場合を含むものである。
【図面の簡単な説明】
【００２６】
【図１】本発明容器の縦断面図である。
【図２】図１容器部材である容器体の平面図である。
【図３】図２容器体の平面図である。
【図４】図１容器部材である落し蓋の平面図である。
【図５】第２実施形態で示す容器の断面図である。
【図６】図５容器部材である落し蓋の平面図である。
【符号の説明】
【００２７】
１…容器体                  ３…雌ねじ
４…第１周壁                ７…パウダー収納室
８…口頸部                  21…落し蓋
22…押え板                  24…雄ねじ
25…小透孔                  26…指掛け板
27…窓孔                    31…蓋体
【図１】
2005066189.tif 000003
【図２】
2005066189.tif 000004
【図３】
2005066189.tif 000005
【図４】
2005066189.tif 000006
【図５】
2005066189.tif 000007
【図６】
2005066189.tif 000008